(57)【特許請求の範囲】
【請求項１】
本体内に着脱自在に収納される内鍋と、この内鍋を誘導加熱する誘導加熱コイルと、この誘導加熱コイルに高周波電力を供給する制御部と、この制御部に商用電源を接続するためのコードリールとを備えた誘導加熱炊飯器において、前記コードリールを誘導加熱コイルの外周部に配設し、前記本体をステンレス等の金属材料で形成したとき、前記コードリールの接続端子部を前記誘導加熱コイル側に向けて配設し、前記コードリールと前記誘導加熱コイルとの間に防磁板を配設したことを特徴とする誘導加熱炊飯器。
【発明の詳細な説明】
【０００１】
【発明の属する技術分野】
この発明は、誘導コイルに交番磁界を発生させて誘導加熱する誘導加熱炊飯器に関するものである。
【０００２】
【従来の技術】
図８は、従来の誘導加熱炊飯器を示すもので、３１は上面が開口する有底円筒状の本体で、この本体３１の内部には断熱材３２を介して鍋収納部として保護枠３３が配設され、かつこの保護枠３３はＰＰＳ等の耐熱樹脂材料により有底円筒状に成形され、そしてこの保護枠３３の上端部は前記本体３１の上端部内周囲に嵌着されている。３４は上端開口部に外方に突出するフランジ３５を形成した鍋で、フランジ３５を保護枠３３の上面に懸架状態に載置することにより、保護枠３３内に脱着自在に配設されている。そして鍋３４は高さ及び外径がそれぞれ保護枠３３より小に設定されているため、鍋３４を保護枠３３内に配設した状態においては、鍋３４の外周囲には保護枠３３によって密閉された空気層３６が形成される。この空気層３６は鍋３４の外底面及び外側面に連続的に対向しているため、保護枠３３の底部に直接鍋３４の重量がかかるのを防ぐことができるとともに、保温性を高めることができる。３７はリッツ線を用いた誘導コイルで、この誘導コイル３７は最内周及び最外周の巻きを密にするとともに、誘導コイル３７と鍋３４の外周面が一定距離になるように、前記保護枠３３の外周下部に耐熱樹脂材料で成形されたコイルカバー３８により支持されて、誘導コイル３７の通気をよくし、誘導コイル３７の冷却を容易にしている。３９は酸化鉄を主原料とし、かつ高誘磁率の材料を焼結させたフェライト層で、このフェライト層３９はコイルカバー３８の外側面に接着されており、誘導コイル３７により生ずる漏れ磁束を防止している。４０は前記本体３１の底部に設けたコードリールで、プラスチック本体４０ａと接続端子を近傍に備えた磁性金属板４０ｂにより構成され、この磁性金属板４０ｂが前記誘導コイル３７に対向して配設されている。
【０００３】
このように構成された従来の誘導加熱炊飯器の動作を説明する。鍋３４内に被調理物を収納し、保護枠３３の上面に懸架状態に載置する。そして、炊飯動作を開始させると、誘導コイル３７が、発振回路４１の発振周波数によって制御される電流が流れて交番磁界が発生することになり、これによって鍋３４に渦電流によるジュール熱で、鍋３４が誘導加熱されて、被調理物が調理される。
【０００４】
【発明が解決しようとする課題】
従来の誘導加熱炊飯器では、本体内に配置したコードリールの磁性金属板が誘導コイルによって発熱してしまい、保持しているプラスチック本体部が溶けてしまうという不具合が生じるため、コードリールを誘導コイルから遠く離す必要があり、誘導加熱炊飯器が大型になってしまうという問題点があった。
また、コードリールの磁性金属板を本体ケース側に対向させて配置し、本体ケースをステンレス等の金属で形成した場合、コードリールの接続端子部とステンレス製の本体ケースとが近傍に位置するので、本体ケースがへこんだ場合などステンレス等の金属で形成した本体ケースとコードリールの接続端子部が接触してしまい短絡するという問題があった。
【０００５】
この発明は、上記のような課題を解決するためになされたもので、誘導加熱コイル近傍にコードリールを配置することを可能とし、かつ本体を金属材料で形成してもコンパクト化を図れる誘導加熱炊飯器を得ることを目的とする。
【０００６】
【課題を解決するための手段】
この発明に係る誘導加熱炊飯器においては、本体内に着脱自在に収納される内鍋と、この内鍋を誘導加熱する誘導加熱コイルと、この誘導加熱コイルに高周波電力を供給する制御部と、この制御部に商用電源を接続するためのコードリールとを備えた誘導加熱炊飯器において、前記コードリールを誘導加熱コイルの外周部に配設し、前記本体をステンレス等の金属材料で形成したとき、前記コードリールの接続端子部を前記誘導加熱コイル側に向けて配設し、前記コードリールと前記誘導加熱コイルとの間に防磁板を配設したものである。
【０００８】
【発明の実施の形態】
実施の形態１．
図１はこの発明の実施の形態１を示す炊飯器の縦断面図、図２は図１のＡ−Ａ断面図、図３は図１のＢ−Ｂ断面図、図４は要部分解斜視図である。図において、１は本体、２はこの本体１の上部に設けた環状の上枠で、その内周には内鍋収納部３を形成する開口部を有する。４は誘導加熱される磁性金属材料（例えばフェライト系ステンレス）で形成される外枠で、本体１の側面を形成する。５は底板で、前側底面および後部に吸気口および排気口を備え、前記外枠４とこの底板５と上枠２とで挟み込み固定している。６は内遮熱板で、この内遮熱板５とコイル台７とで前記内鍋収納部３を構成している。８は内遮熱板６の外面に密着貼付された胴ヒータであり、炊飯・保温時に通電加熱される。９は米・水等が収納される少なくとも外周壁が磁性金属材料（例えばフェライト系ステンレス）からなる有底筒状の内鍋で、上端縁に形成されるフランジ９ａを前記上枠２の上端に懸架されて内鍋収納部３内に収納する。１０はコイル台７の外面に当接巻き付けられた誘導加熱コイルで、通電により交番磁界を発生し内鍋９を誘導加熱する。１１は前記誘導加熱コイル１０の外側に取り付けられたフェライトで、コイル台６に誘導加熱コイル１０を保持し、さらに放出されるノイズを減少させるものである。
【０００９】
１２は基板組立部で、基板ホルダー１３をベースに電源基板１４と操作基板１５が取付けられている。１６はコイル台６の底部中心に位置する底センサー部、１７は上枠２の前面に位置し、メニュー等の選択と炊飯ボタン等のスイッチを備えた操作部、１８は内鍋９の上部開口面を閉塞する蓋体で、その一方は開放方向に付勢するバネを備えたヒンジ１９により開動自在に枢支し、前記本体１の上部を開放可能にし、その他方は蓋体１８を閉じたときに、上枠２に設けた係止ボタン２０により係止可能である。
【００１０】
２１は本体１の後部側で誘導加熱コイル１０の側面外周部に配置したコードリールで、上枠２後部のヒンジ１９の下部に位置し、コードリール２１の接続端子部２１ａを内鍋９方向に向けて配置される。なお、この接続端子部２１ａは、図５および図６に示すように、コードリール２１を構成する磁性金属板２１ｂに樹脂材２１ｃを介して取り付けられており、電源基板１４と接続される。
【００１１】
２２は前記誘導加熱コイル１０の外周に配設されたアルミニウム材からなる防磁板で、図７に示すように、一端側をコイル台７から下方に延設された鍔部７ａとリブ７ｂの間に挿入し、他端側を底板５から上方に延設したガイド部５ａに当接させて、その端部はリブ７ｂ上面に当てた状態で、底板５をコイル台７にネジ止めすることで、防磁板２２が底板５とコイル台７とで挟持され保持される。つまり、防磁板２２と外枠４との間にコードリール２１が位置する状態となる。
【００１２】
このように構成された誘導加熱炊飯器の炊飯動作は、従来技術と同様に、炊飯時に誘導加熱コイル１０に電流が流れ交番磁界を発生し、内鍋９を誘導加熱し内鍋９が発熱することにより、中に収納された米を炊き上げる。
【００１３】
このとき、外枠４が誘導加熱材質であるステンレスにて形成されているため、誘導加熱コイル１０の交番磁気が外枠４を通って外部に漏れてしまう。そこで、コイル台７と底板５とで挟持して誘導加熱コイル１０の側部外周に防磁板２２を保持することで、誘導加熱コイル１０の交番磁気が外部への漏れるのを遮蔽して防いでいる。さらに、誘導加熱コイル１０の側部外周に位置するコードリール２１は、底板５とコイル台７とで挟持されて保持される防磁板２２と外枠４との間に位置しているので、誘導加熱コイル１０の熱は防磁板２２により遮蔽され、コードリール２１が加熱されるのを防いでいる。
【００１４】
そして、コードリール２１の接続端子部２１ａは、外枠４がステンレス製であるために、コードリール２１の接続端子部２１ａと外枠４との間に絶縁距離を保つ必要がある。その方法として、コードリール２２の接続端子部２２ａを内側つまり誘導加熱コイル１０側に向けて外枠４との絶縁距離を保つという方法がある。しかし、接続端子部２２ａと誘導加熱コイル１０とを近接させると誘導加熱コイル１０の交番磁気が接続端子部２１ａに影響して誤動作するとうい不具合が生じる。この実施の形態１の発明では、防磁板２２により誘導加熱コイル１０の交番磁気を遮蔽され、誤動作することがない。このように、接続端子部２１ａを内側に向けて配置することは、金属製の本体１との絶縁距離の確保とともに炊飯器全体のコンパクト化も図ることができる。
【００１５】
【発明の効果】
この発明は、以上説明したように構成されているので、以下に示すような効果を奏する。
【００１６】
上蓋と底板と側板とで構成される本体と、この本体内に着脱自在に収納される内鍋と、この内鍋を誘導加熱する誘導加熱コイルと、この誘導加熱コイルに高周波電力を供給する制御部とを備えた誘導加熱炊飯器において、前記誘導加熱コイルの側部外周に保持され、前記誘導加熱コイルの交番磁気の外部への漏れ及び前記誘導加熱コイルの熱を遮蔽するアルミニウム等で形成された防磁板と、前記防磁板と前記側板との間に配置され、前記制御部に商用電源を接続するためのコードリールとを備えたので、隙間の狭いコードリールと誘導コイルとの間に、成形性の良い防磁板を配置することで、コードリールが加熱されるのを防ぐことができると共に、熱と電磁波の外部への漏れを遮蔽することができ、かつ本体のコンパクト化を図ることができる誘導加熱炊飯器を提供することができる。
また、防磁板を、前記誘導加熱コイルを保持するコイル台または前記本体を構成する底板により保持させたので、コードリールと誘導コイルとの間に、防磁板をコイル台または底板で保持することで、熱と電磁波の外部への漏れを遮蔽することができ、かつ本体のコンパクト化を図ることができる誘導加熱炊飯器を提供することができる。
さらに、前記防磁板を、前記コイル台と前記底板により保持させたので、コードリールと誘導コイルとの間に、防磁板をコイル台と底板により保持することで、熱と電磁波の外部への漏れを遮蔽することができ、かつ本体のコンパクト化を図ることができる誘導加熱炊飯器を提供することができる。
【００１７】
また、本体内に着脱自在に収納される内鍋と、この内鍋を誘導加熱する誘導加熱コイルと、この誘導加熱コイルに高周波電力を供給する制御部と、この制御部に商用電源を接続するためのコードリールとを備えた誘導加熱炊飯器において、前記コードリールを誘導加熱コイルの外周部に配設し、前記本体をステンレス等の金属材料で形成したとき、前記コードリールの接続端子部を前記誘導加熱コイル側に向けて配設し、前記コードリールと前記誘導加熱コイルとの間に防磁板を配設したので、誘導加熱材料で形成された本体とコードリールの接続端子部との間に確実に絶縁距離を保つことができ、かつ本体のコンパクト化を図ることができる誘導加熱炊飯器を提供することができる。
【図面の簡単な説明】
【図１】この発明の実施の形態１を示す誘導加熱炊飯器の断面図である。
【図２】この発明の実施の形態１を示す誘導加熱炊飯器の図１のＡ−Ａ断面図である。
【図３】この発明の実施の形態１を示す誘導加熱炊飯器の図１のＢ−Ｂ断面図である。
【図４】この発明の実施の形態１を示す誘導加熱炊飯器の要部分解斜視図である。
【図５】この発明の実施の形態１を示す誘導加熱炊飯器の要部正面図である。
【図６】この発明の実施の形態１を示す誘導加熱炊飯器の要部側面図である。
【図７】この発明の実施の形態１を示す誘導加熱炊飯器の要部断面図である。
【図８】従来の誘導加熱炊飯器を示す縦断面図である。
【符号の説明】
１  本体、２  上枠、３  内鍋収納部、４  外枠、５  底板、５ａ  ガイド部５ｂ  リブ、６  内遮熱板、７  コイル台、７ａ  鍔部、７ｂ  リブ、８  胴ヒータ、９  内鍋、９ａ  フランジ、１０  誘導加熱コイル、１１  フェライト、１２  基板組立部、１３  基板ホルダー、１４  電源基板、１５  操作基板、１６  底センサー部、１７  操作部、１８  蓋体、１９  ヒンジ、２０  係止ボタン、２１  コードリール、２１ａ  接続端子部、２１ｂ  磁性金属板、２１ｃ  樹脂材、２２  防磁板。
【図１】
0003549777.tif 000002
【図２】
0003549777.tif 000003
【図３】
0003549777.tif 000004
【図４】
0003549777.tif 000005
【図５】
0003549777.tif 000006
【図６】
0003549777.tif 000007
【図７】
0003549777.tif 000008
【図８】
0003549777.tif 000009